(57)【特許請求の範囲】
【請求項１】
言語を発声しているときの音声変化に対応する能力を評価する際の因子となる複数の指標を、前記評価に用いる言語の文字列のうち、前記指標に対応する音が表れる部分に対応付けて記憶する手段と、
ユーザの操作指示に従って、前記文字列を音声出力する手段と、
タイプ入力に必要な複数のキーを表示する入力表示手段と、
前記表示される前記キーの数を絞り込む機能を有効にするか、無効にするかを受け付ける手段と、
前記音声出力された前記文字列に基づいて、ユーザが前記文字列を再現しようとした回答内容の前記タイプ入力を受け付ける手段と、
前記タイプ入力を一文字分受け付けるたびに、当該受け付けた文字と前記文字列の対応する文字とを比較していくことで、前記指標が対応付けて記憶されている前記部分が正解したかどうかを判定する手段と、
前記指標ごとの正解率を算出し、当該正解率のうち相対的に低い正解率の前記指標に対応する文字により構成されるトレーニング用のコンテンツを提供する手段と、を備え、
前記入力表示手段は、前記有効にするか、無効にするかを受け付ける手段により前記有効が受け付けられた場合に、前記無効時に表示する前記キーの中から、少なくとも正解の文字に対応するキーを含む複数のキーに絞り込んで表示する、
ことを特徴とする言語トレーニングシステム。
【請求項２】
前記判定する手段は、前記タイプ入力を一文字分受け付けるたびに、当該受け付けた文字と前記文字列の対応する文字とが一致するか否かをさらに判定し、
前記タイプ入力を受け付ける手段は、前記判定する手段により、一致しないと判定された場合に、一致しなかった文字に対する再入力を促す、
ことを特徴とする請求項１記載の言語トレーニングシステム。
【請求項３】
前記提供する手段は、前記指標ごとの正解率に加え、前記判定する手段により一致しないと判定された回数に基づいて、提供する前記トレーニング用のコンテンツを決定する、
ことを特徴とする請求項２記載の言語トレーニングシステム。
【請求項４】
前記タイプ入力を受け付ける手段により受け付けられた文字について、前記判定する手段により一致すると判定されるまでに要した時間を測定する手段を、さらに備え、
前記提供する手段は、前記指標ごとの正解率および、前記判定する手段により一致しないと判定された回数に加え、前記測定された前記時間に基づいて、提供する前記トレーニング用のコンテンツを決定する、
ことを特徴とする請求項３記載の言語トレーニングシステム。
【請求項５】
前記指標は、つながる音、落ちる音、変わる音、短くなる音、弱くなる音、柔らかくなる音のいずれかを含む、ことを特徴とする請求項１〜４のいずれか１項に記載の言語トレーニングシステム。
【請求項６】
言語を発声しているときの音声変化に対応する能力を評価する際の因子となる複数の指標を、前記評価に用いる言語の文字列のうち、前記指標に対応する音が表れる部分に対応付けて記憶する手段と、
ユーザの操作指示に従って、前記文字列を音声出力する手段と、
タイプ入力に必要な複数のキーを表示する入力表示手段と、
前記表示される前記キーの数を絞り込む機能を有効にするか、無効にするかを受け付ける手段と、
前記音声出力された前記文字列に基づいて、ユーザが前記文字列を再現しようとした回答内容の前記タイプ入力を受け付ける手段と、
前記タイプ入力を一文字分受け付けるたびに、当該受け付けた文字と前記文字列の対応する文字とを比較していくことで、前記指標が対応付けて記憶されている前記部分が正解したかどうかを判定する手段と、
前記指標ごとの正解率を算出し、当該正解率のうち相対的に低い正解率の前記指標に対応する文字により構成されるトレーニング用のコンテンツを提供する手段と、を備え、
前記入力表示手段は、前記有効にするか、無効にするかを受け付ける手段により前記有効が受け付けられた場合に、前記無効時に表示する前記キーの中から、少なくとも正解の文字に対応するキーを含む複数のキーに絞り込んで表示する、
ことを特徴とする言語トレーニング端末。
【請求項７】
前記判定する手段は、前記タイプ入力を一文字分受け付けるたびに、当該受け付けた文字と前記文字列の対応する文字とが一致するか否かをさらに判定し、
前記タイプ入力を受け付ける手段は、前記判定する手段により、一致しないと判定された場合に、一致しなかった文字に対する再入力を促す、
ことを特徴とする請求項６記載の言語トレーニング端末。
【請求項８】
コンピュータを、
言語を発声しているときの音声変化に対応する能力を評価する際の因子となる複数の指標を、前記評価に用いる言語の文字列のうち、前記指標に対応する音が表れる部分に対応付けて記憶する手段、
ユーザの操作指示に従って、前記文字列を音声出力する手段、
タイプ入力に必要な複数のキーを表示する入力表示手段、
前記表示される前記キーの数を絞り込む機能を有効にするか、無効にするかを受け付ける手段、
前記音声出力された前記文字列に基づいて、ユーザが前記文字列を再現しようとした回答内容の前記タイプ入力を受け付ける手段、
前記タイプ入力を一文字分受け付けるたびに、当該受け付けた文字と前記文字列の対応する文字とを比較していくことで、前記指標が対応付けて記憶されている前記部分が正解したかどうかを判定する手段、
前記指標ごとの正解率を算出し、当該正解率のうち相対的に低い正解率の前記指標に対応する文字により構成されるトレーニング用のコンテンツを提供する手段、として機能させ、
前記入力表示手段は、前記有効にするか、無効にするかを受け付ける手段により前記有効が受け付けられた場合に、前記無効時に表示する前記キーの中から、少なくとも正解の文字に対応するキーを含む複数のキーに絞り込んで表示する、
ことを特徴とする言語トレーニングプログラム。
【請求項９】
前記判定する手段は、前記タイプ入力を一文字分受け付けるたびに、当該受け付けた文字と前記文字列の対応する文字とが一致するか否かをさらに判定し、
前記タイプ入力を受け付ける手段は、前記判定する手段により、一致しないと判定された場合に、一致しなかった文字に対する再入力を促す、
ことを特徴とする請求項８記載の言語トレーニングプログラム。
【発明の詳細な説明】
【技術分野】
【０００１】
本発明は、言語トレーニングシステム、言語トレーニング端末および言語トレーニングプログラムに関する。
【背景技術】
【０００２】
下記特許文献１には、語学のヒアリングおよびディクテーション能力の向上を促進する語学学習教材が開示されている。この語学学習教材では、予め設定したリピート回数分、文章を音声として再生できるようにしたことで、ディクテーションによるヒアリング能力を向上させている。
【先行技術文献】
【特許文献】
【０００３】
【特許文献１】特開２０１０−１０７９２６号公報
【発明の概要】
【発明が解決しようとする課題】
【０００４】
特許文献１に記載の語学学習教材では、ディクテーションを繰り返し行うことでヒアリング力を高めることは可能だが、客観的にどのような部分が聞き取れていないのかを把握し、弱点となる部分を訓練することはできない。
【０００５】
本発明は、上述した課題を解決するためになされたものであり、言語を発声しているときの音声変化に対応する能力を客観的に判断して訓練するためのトレーニング用コンテンツを提供することができる言語トレーニングシステム、言語トレーニング端末および言語トレーニングプログラムを提供することを目的の一つとする。
【課題を解決するための手段】
【０００６】
本発明の一態様である言語トレーニングシステムは、言語を発声しているときの音声変化に対応する能力を評価する際の因子となる複数の指標を、前記評価に用いる言語の文字列のうち、前記指標に対応する音が表れる部分に対応付けて記憶する手段と、ユーザの操作指示に従って、前記文字列を表示および／または音声出力する手段と、前記表示および／または音声出力された前記文字列に基づいて、ユーザが前記文字列を再現しようとした回答内容の入力を受け付ける手段と、前記受け付けた前記回答内容と前記文字列とを比較し、前記音声出力された前記文字列のうち前記指標が対応付けて記憶されている前記部分が正解したかどうかを判定する手段と、前記指標ごとの正解率を算出し、当該正解率のうち相対的に低い正解率の前記指標に対応する文字により構成されるトレーニング用のコンテンツを提供する手段と、を備える。
【０００７】
本発明の一態様である言語トレーニング端末は、言語を発声しているときの音声変化に対応する能力を評価する際の因子となる複数の指標を、前記評価に用いる言語の文字列のうち、前記指標に対応する音が表れる部分に対応付けて記憶する手段と、ユーザの操作指示に従って、前記文字列を表示および／または音声出力する手段と、前記表示および／または音声出力された前記文字列に基づいて、ユーザが前記文字列を再現しようとした回答内容の入力を受け付ける手段と、前記受け付けた前記回答内容と前記文字列とを比較し、前記音声出力された前記文字列のうち前記指標が対応付けて記憶されている前記部分が正解したかどうかを判定する手段と、前記指標ごとの正解率を算出し、当該正解率のうち相対的に低い正解率の前記指標に対応する文字により構成されるトレーニング用のコンテンツを提供する手段と、を備える。
【０００８】
前記回答内容の入力は、前記回答内容のタイプ入力であり、前記判定する手段は、前記タイプ入力を一文字分受け付けるたびに、当該受け付けた文字と前記文字列の対応する文字とを比較していくことで、前記指標が対応付けて記憶されている前記部分が正解したかどうかを判定することとしてもよい。
【０００９】
前記タイプ入力に必要な複数のキーを表示する入力表示手段と、前記表示される前記キーの数を絞り込む機能を有効にするか、無効にするかを受け付ける手段と、をさらに備え、前記入力表示手段は、前記有効にするか、無効にするかを受け付ける手段により前記有効が受け付けられた場合に、前記無効時に表示する前記キーの中から、少なくとも正解の文字に対応するキーを含む複数のキーに絞り込んで表示することとしてもよい。
【００１０】
前記判定する手段は、前記タイプ入力を一文字分受け付けるたびに、当該受け付けた文字と前記文字列の対応する文字とが一致するか否かをさらに判定し、前記タイプ入力を受け付ける手段は、前記判定する手段により、一致しないと判定された場合に、一致しなかった文字に対する再入力を促すこととしてもよい。
【００１１】
前記提供する手段は、前記指標ごとの正解率に加え、前記判定する手段により一致しないと判定された回数に基づいて、提供する前記トレーニング用のコンテンツを決定することとしてもよい。
【００１２】
前記タイプ入力を受け付ける手段により受け付けられた文字について、前記判定する手段により一致すると判定されるまでに要した時間を測定する手段を、さらに備え、前記提供する手段は、前記指標ごとの正解率および前記一致しないと判定された回数に加え、前記測定された前記時間に基づいて、提供する前記トレーニング用のコンテンツを決定することとしてもよい。
【００１３】
前記指標は、つながる音、落ちる音、変わる音、短くなる音、弱くなる音、柔らかくなる音のいずれかを含むこととしてもよい。
【００１４】
本発明の一態様である言語トレーニングプログラムは、コンピュータを、言語を発声しているときの音声変化に対応する能力を評価する際の因子となる複数の指標を、前記評価に用いる言語の文字列のうち、前記指標に対応する音が表れる部分に対応付けて記憶する手段、ユーザの操作指示に従って、前記文字列を表示および／または音声出力する手段、前記表示および／または音声出力された前記文字列に基づいて、ユーザが前記文字列を再現しようとした回答内容の入力を受け付ける手段、前記受け付けた前記回答内容と前記文字列とを比較し、前記音声出力された前記文字列のうち前記指標が対応付けて記憶されている前記部分が正解したかどうかを判定する手段、前記指標ごとの正解率を算出し、当該正解率のうち相対的に低い正解率の前記指標に対応する文字により構成されるトレーニング用のコンテンツを提供する手段、として機能させる。
【００１５】
前記回答内容の入力は、前記回答内容のタイプ入力であり、前記判定する手段は、前記タイプ入力を一文字分受け付けるたびに、当該受け付けた文字と前記文字列の対応する文字とを比較していくことで、前記指標が対応付けて記憶されている前記部分が正解したかどうかを判定することとしてもよい。
【００１６】
前記コンピュータを、前記タイプ入力に必要な複数のキーを表示する入力表示手段、前記表示される前記キーの数を絞り込む機能を有効にするか、無効にするかを受け付ける手段、としてさらに機能させ、前記入力表示手段は、前記有効にするか、無効にするかを受け付ける手段により前記有効が受け付けられた場合に、前記無効時に表示する前記キーの中から、少なくとも正解の文字に対応するキーを含む複数のキーに絞り込んで表示することとしてもよい。
【００１７】
前記判定する手段は、前記タイプ入力を一文字分受け付けるたびに、当該受け付けた文字と前記文字列の対応する文字とが一致するか否かをさらに判定し、前記タイプ入力を受け付ける手段は、前記判定する手段により、一致しないと判定された場合に、一致しなかった文字に対する再入力を促すこととしてもよい。
【発明の効果】
【００１８】
本発明によれば、言語を発声しているときの音声変化に対応する能力を客観的に判断して訓練するためのトレーニング用コンテンツを提供することができる。
【図面の簡単な説明】
【００１９】
【図１】実施形態における英語トレーニングシステムの構成を例示する図である。
【図２】図１に示すユーザ端末の構成を例示する図である。
【図３】図１に示すサーバ装置の構成を例示する図である。
【図４】ユーザ端末に表示される画面の一例を示す図である。
【図５】ユーザ端末に表示される画面の一例を示す図である。
【発明を実施するための形態】
【００２０】
以下、本発明の実施形態について図面を参照しつつ詳細に説明する。なお、同一の要素には同一の符号を付し、重複する説明を省略する。
【００２１】
図１は、本発明の一実施形態に係る英語トレーニングシステムの構成概略図である。同図に示すように、本実施形態における英語トレーニングシステム１は、サーバ装置２と、ユーザ端末３とを備える。
【００２２】
なお、本実施形態ではユーザがトレーニングする言語として英語を用いて説明するが、これに限定されず、本発明は他の言語にも同様に適用することができる。
【００２３】
サーバ装置２は、例えば、演算処理能力の高いコンピュータによって構成され、そのコンピュータにおいて所定のサーバ用プログラムが動作することにより、サーバ機能を実現するものである。ここで、サーバ装置２を構成するコンピュータは、必ずしも１台である必要はなく、ネットワークＮ上に分散する複数のコンピュータから構成されてもよい。
【００２４】
ネットワークＮは、サーバ装置２とユーザ端末３との間で相互に情報を送受信可能な通信網を含む。ネットワークＮは、例えば、インターネット、ＬＡＮ、専用線、電話回線、企業内ネットワーク、移動体通信網、ブルートゥース、ＷｉＦｉ（Wireless Fidelity）、その他の通信回線、それらの組み合わせ等のいずれであってもよく、有線であるか無線であるかを問わない。
【００２５】
ユーザ端末３は、ユーザが使用するスマートフォンであり、ネットワークＮを介してサーバ装置２と通信できるように構成される。
【００２６】
なお、本実施形態では、ユーザ端末３として、スマートフォンを用いて説明するが、これに限定されない。ユーザ端末３として、例えば、タブレット端末、携帯電話機、携帯情報端末（ＰＤＡ）、ノートＰＣ（パーソナルコンピュータ）、ＰＣ、その他の端末装置を適宜用いることができる。
【００２７】
図２に示すように、ユーザ端末３は、例えば、プロセッサ３１、通信インタフェース３２、入力デバイス３３、表示デバイス３４、音声出力デバイス３５、記憶資源３６を備える。
【００２８】
プロセッサ３１は、算術論理演算ユニットおよび各種レジスタ（プログラムカウンタ、データレジスタ、命令レジスタ、汎用レジスタ等）から構成される。プロセッサ３１は、記憶資源３６に格納されているプログラム３６０を解釈および実行し、入力デバイス３３から入力された情報に従ってサーバ装置２にリクエストを送信し、サーバ装置２からのレスポンスを受信する。プログラム３６０は、例えばサーバ装置２からネットワークＮを介してインストールすることができる。
【００２９】
通信インタフェース３２は、サーバ装置２との接続インタフェースを提供するものであり、無線通信インタフェースまたは有線通信インタフェースから構成される。また、入力デバイス３３は、ユーザからの入力を受け付けるインタフェースを提供するものであり、タッチパネル、マイク等を例示することができる。また、表示デバイス３４は、英語トレーニング画面等の画像表示インタフェースをユーザに提供するものであり、例えば、有機ＥＬディスプレイ、液晶ディスプレイ等が挙げられる。さらに、音声出力デバイス３５は、例えば、一般的なサウンドデータを再生可能なサウンドプレイヤである。
【００３０】
記憶資源３６は、例えば、物理デバイスの記憶領域が提供する論理デバイスである。物理デバイスは、例えば、ディスクドライブまたは半導体メモリ等のコンピュータ読み取り可能な記録媒体である。記憶資源３６は、プログラム３６０として、アプリケーションの他に、ユーザ端末３の処理に用いられるオペレーティングシステムプログラム、ドライバプログラム、各種データ等も格納する。ドライバプログラムとしては、例えば、入力デバイス３３を制御するための入力デバイスドライバプログラムや、表示デバイス３４および音声出力デバイス３５を制御するための出力デバイスドライバプログラム等が挙げられる。
【００３１】
ユーザ端末３には、英語をトレーニングするためのアプリケーション（以下、「英語アプリ」という。）がインストールされ、英語アプリモジュール３６１が記憶資源３６に格納されている。
【００３２】
図３に示すように、サーバ装置２は、例えば、プロセッサ２０と、通信インタフェース２１と、記憶資源２２とを備える。
【００３３】
プロセッサ２０は、算術演算、論理演算、ビット演算等を処理する算術論理演算ユニットおよび各種レジスタから構成され、記憶資源２２に格納されているコンピュータプログラム２２０を実行することで、後述する各種機能を実現する。各種レジスタは、例えば、プログラムカウンタ、データレジスタ、命令レジスタ、汎用レジスタ等である。
【００３４】
通信インタフェース２１は、ネットワークＮに接続し、ネットワークＮ上の他の端末と通信をするためのハードウェアモジュールである。通信インタフェース２１は、例えば、ＩＳＤＮモデム、ＡＤＳＬモデム、ケーブルモデム、光モデム、ソフトモデム等の変調復調装置である。
【００３５】
記憶資源２２は、例えば、物理デバイスの記憶領域が提供する論理デバイスである。物理デバイスは、例えば、ディスクドライブまたは半導体メモリ等のコンピュータ読み取り可能な記録媒体である。記憶資源２２は、複数の物理デバイスを１つの論理デバイスにマッピングして構築してもよいし、１つの物理デバイスを複数の論理デバイスにマッピングして構築してもよい。記憶資源２２には、コンピュータプログラム２２０が記憶される。
【００３６】
記憶資源２２には、コンピュータプログラム２２０のほか、サーバ装置２の処理に用いられるオペレーティングシステムプログラム、ドライバプログラム、各種データ等が格納される。ドライバプログラムとしては、例えば、通信インタフェース２１を制御するための通信インタフェースドライバプログラム等がある。各種データとしては、例えば、後述するタグ情報２２２等がある。
【００３７】
コンピュータプログラム２２０は、所定の処理を行うためのプログラムであり、サーバ装置２のメインプログラムの動作中に適宜呼び出されて実行される複数のソフトウェアモジュールを備える。このソフトウェアモジュールは、それぞれ特定の処理を実行するためにモジュール化されたサブプログラムであり、例えば、プロシージャ、サブルーチン、メソッド、関数およびデータ構造等を用いて作成される。
【００３８】
ここで、英語トレーニングシステム１で実現する具体的な機能を説明する前に、英語アプリの特徴について説明する。
【００３９】
英語アプリは、英語が聞き取れない原因をレッスン用の問題で特定し、その聞き取れない原因を解消するためのトレーニング用コンテンツを提供するアプリである。
【００４０】
英語アプリを開発するにあたり、本願発明者は、英語が聞き取りにくい要因を探るべく、話すときの音のつながり（リエゾン）に注目した。その結果、つながる音、落ちる音、変わる音、短くなる音、弱くなる音、柔らかくなる音を発声する部分で聞き取りにくくなる傾向にあることが判明した。そこで、これら６つの音を、英語を発声しているときの音声変化に対応する能力を評価する際の因子と位置付け、それぞれの音を、評価する際の指標として用いることとした。
【００４１】
ユーザに提供する文章や単語・熟語（レッスン用問題およびトレーニング用コンテンツ）のうち、６つの音が表れる部分に、その表れる音に対応する指標（つながる音、落ちる音、変わる音、短くなる音、弱くなる音、柔らかくなる音）を用いてタグ付けする。そのタグ付けした部分と指標との関係をタグ情報２２２としてサーバ装置２の記憶資源２２に格納する。タグ付けは、文字（アルファベット）単位に行うとともに、その文字を含む単語・熟語や文章にも同じ指標を用いてタグ付けする。つまり、タグ付けは、文字単位、単語・熟語単位、文章単位に行う。
【００４２】
ユーザ端末３にインストールされる英語アプリの概要を以下に説明する。まず、英語アプリは、ユーザの操作指示に従い、設問となる文章または単語・熟語（文字列）を、音声出力する。続いて、英語アプリは、その音声を聞いたユーザがタイプ入力した回答内容と、設問の文章または単語・熟語を構成する文字列とを比較し、間違った部分にタグ付けされている指標に基づいて、弱点となる因子を特定する。
【００４３】
続いて、英語アプリは、弱点として特定した因子に対応する指標によりタグ付けされている文字、単語・熟語、文章で構成される文字列を、トレーニング用のコンテンツとしてユーザ端末３に提供する。
【００４４】
次に、英語アプリを実行することで実現する機能について、詳細に説明する。
【００４５】
ユーザ端末３の英語アプリモジュール３６１は、ユーザの操作指示に従い、設問となる文章または単語・熟語を、サーバ装置２から取得し、音声出力デバイス３５から音声出力する。音声出力する際に、文章または単語・熟語を画面上に表示することとしてもよい。
【００４６】
設問となる文章または単語・熟語には、レッスン用とトレーニング用とがある。レッスン用は、６つの指標がなるべく均等に含まれるように構成されている。トレーニング用は、６つの指標のうち、弱点として特定された因子に対応する指標によりタグ付けされた文字、単語・熟語、文章で構成されている。
【００４７】
なお、トレーニング用の文章または単語・熟語に、弱点として特定された因子以外に対応する文字、単語・熟語、文章が含まれることとしてもよいが、その比率は、弱点として特定された因子に対応する文字、単語・熟語、文章が最も大きくなるように構成されていればよい。
【００４８】
英語アプリモジュール３６１は、音声出力された設問文章または単語・熟語に基づいて、ユーザが文章または単語・熟語を再現するためにタイプ入力した回答内容を受け付ける。
【００４９】
英語アプリモジュール３６１は、タイプ入力を一文字分受け付けるたびに、受け付けた文字と音声出力された文章または単語・熟語の対応する文字とが一致するか否かの判定をサーバ装置２に要求する。英語アプリモジュール３６１は、サーバ装置２から取得した判定結果が、一致する場合（正解）には、次の文字の入力を受け付け、不一致である場合（不正解）には、再入力を促し、次の文字を入力できないように制限する。
【００５０】
サーバ装置２の処理モジュール２２１は、設問に含まれる文字ごとに、一致すると判定するまで（正解するまで）に要した回数および時間を測定する。
【００５１】
英語アプリモジュール３６１は、画面上にキーボード表示される入力キーの数を絞り込むためのキー絞込表示機能を有する。キー絞込表示機能は、図４に示す画面上のキー絞込ボタンＫをタップすることで有効／無効を切り替えることができる。キー絞込表示機能が無効である場合には、通常のキーボード表示による全てのアルファベットのキーが表示される。
【００５２】
一方、キー絞込表示機能が有効である場合には、正解のアルファベットに対応するキー、および全てのアルファベットの中から任意に絞り込んだ複数のアルファベットのキーのみを表示する。図５に示す画面上のキーボード表示は、正解のアルファベットが“Ｇ”である場合の一例である。なお、絞り込んで表示する複数のアルファベットは、正解のアルファベットごとに設定することとしてもよい。
【００５３】
図４、５に示すリピートボタンＲは、タップするごとに、設問となる文章または単語・熟語を音声出力させるボタンである。パスボタンＰは、タップすることで、設問をパスさせるためのボタンである。速度ボタンＳは、タップするごとに、音声出力の速度を“速い”、“普通”、“遅い”のいずれかに順次変更させるためのボタンである。
【００５４】
英語アプリモジュール３６１は、タイプ入力を一文字分受け付けるたびに、受け付けた文字と音声出力された文章または単語・熟語の対応する文字とを比較するようにサーバ装置２に要求し、音声出力された文章または単語・熟語のうち、指標が対応付けて記憶されている部分が正解したかどうかの判定結果をサーバ装置２から取得する。
【００５５】
サーバ装置２の処理モジュール２２１は、指標ごとの正解率を算出し、その算出した正解率のうち最も低い正解率の指標によりタグ付けされている文字、単語・熟語、文章で構成される文字列を、トレーニング用のコンテンツとしてユーザ端末３に提供する。
【００５６】
トレーニング用のコンテンツは、例えば、各指標の正解率ごとに予め生成したものを記憶させておき、指標と正答率とを指定することで、対応するトレーニング用のコンテンツを抽出して提供することとしてもよい。
【００５７】
トレーニング用のコンテンツは、最も低い正解率の指標に基づいて生成することに限定されず、相対的に低い正解率の複数の指標に基づいて生成することとしてもよい。弱点を克服することができればよいため、弱点となる正解率の低い指標が複数ある場合には、それらの指標に基づくトレーニング用のコンテンツを提供することで、複数の弱点をまとめて克服することが可能となる。
【００５８】
提供するトレーニング用のコンテンツを決定する際に、指標ごとの正解率に加え、正解するまでに要した回数や時間を用いて決定することとしてもよい。例えば、回数が多いほど、正解率が低下し、時間が長いほど、正解率が低下するように調整することとしてもよい。
【００５９】
上述したように、実施形態における英語トレーニングシステム１によれば、英語を発声しているときの音声変化に対応する能力を評価する際の因子となる６つの指標（つながる音、落ちる音、変わる音、短くなる音、弱くなる音、柔らかくなる音）を、評価に用いる英文の文字列のうち指標に対応する音が表れる部分に対応付けて記憶し、ユーザの操作指示に従って、評価に用いる英文の文字列を音声出力し、音声出力された文字列に基づいて、ユーザが文字列を再現しようとした回答内容の入力を受け付け、その受け付けた回答内容と評価に用いる英文の文字列とを比較し、音声出力された文字列のうち、指標が対応付けて記憶されている部分が正解したかどうかを判定し、指標ごとの正解率を算出し、当該正解率のうち最も低い正解率の指標に対応する文字により構成されるトレーニング用のコンテンツを提供することができる。
【００６０】
これにより、実施形態における英語トレーニングシステム１によれば、英語を発声しているときの音声変化に対応する能力を客観的に判断して訓練することが可能となる。
【００６１】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理（ステップ）は処理内容に矛盾を生じない範囲で任意に順番を変更し、または並列に実行することができる。
【００６２】
また、上述した実施形態では、英語アプリをインストールしたユーザ端末３が、サーバ装置２と通信しながら、英語アプリを実行しているが、これに限定されない。例えば、サーバ装置２が備える英語アプリに関する機能やタグ情報を英語アプリに搭載し、ユーザ端末３が、サーバ装置２と通信することなく、ユーザ端末３単体で英語アプリを実行する形態にも本発明を適用することができる。
【００６３】
また、上述した実施形態では、リスニングのレッスンやトレーニングに適用した場合について説明しているが、これに限定されない。例えば、スピーキングのレッスンやトレーニングにも同様に本発明を適用することができる。スピーキングの場合、英語アプリモジュール３６１は、ユーザが設問の文章または単語・熟語を再現するために音声入力した回答内容を受け付けることになる。
【符号の説明】
【００６４】
１…英語トレーニングシステム
２…サーバ装置
３…ユーザ端末
２０…プロセッサ
２１…通信インタフェース
２２…記憶資源
３１…プロセッサ
３２…通信インタフェース
３３…入力デバイス
３４…表示デバイス
３５…音声出力デバイス
３６…記憶資源
２２０…コンピュータプログラム
２２１…処理モジュール
２２２…タグ情報
３６０…プログラム
３６１…英語アプリモジュール
Ｎ…ネットワーク
【要約】
【課題】言語を発声しているときの音声変化に対応する能力を客観的に判断して訓練する。
【解決手段】言語を発声しているときの音声変化に対応する能力を評価する際の因子となる複数の指標を、評価に用いる言語の文字列のうち、指標に対応する音が表れる部分に対応付けて記憶し、ユーザの操作指示に従って、評価に用いる言語の文字列を表示および／または音声出力し、表示および／または音声出力された文字列に基づいて、ユーザが文字列を再現しようとした回答内容の入力を受け付け、受け付けた回答内容と評価に用いる言語の文字列とを比較し、音声出力された文字列のうち指標が対応付けて記憶されている部分が正解したかどうかを判定して、指標ごとの正解率を算出し、当該正解率のうち最も低い正解率の指標に対応する文字により構成されるトレーニング用のコンテンツを提供する。
【選択図】図１【図１】
0005955445.tif 000002
【図２】
0005955445.tif 000003
【図３】
0005955445.tif 000004
【図４】
0005955445.tif 000005
【図５】
0005955445.tif 000006